(57)【要約】【課題】  基地局数が多くなった場合でも報知機能を使用したときのデータ処理量を軽減でき、他の呼処理の遅延等を防止できる無線通信システムを提供する。【解決手段】  ＰＨＳ交換機１１の主制御部１２は、各部を統括制御するＣＰＵ、プログラムを格納するＲＯＭ、プログラムの変数領域として使用するＲＡＭ等を備え、このＲＡＭに第１の位置登録テーブル及び第２の位置登録テーブルを設ける。第１の位置登録テーブルは携帯機１５ａ〜１５ｎから基地局を介して送られてくる位置登録情報を管理し、第２の位置登録テーブルは、各基地局における待ち受け携帯機の有無を管理する。主制御部１２は、同報通知送信処理を行う場合、第２の位置登録テーブルを参照して各基地局に待ち受け携帯機があるかどうかを判定し、待ち受け携帯機のある基地局に同報通知電文を送出し、待ち受け携帯機がない基地局に対しては同報通知電文を送信しない。【選択図】      図１
2009206959.tif 000002
【特許請求の範囲】
【請求項１】
統制局及び複数の基地局、携帯機から構成され、前記統制局から基地局を介して全ての携帯機に制御電文を送出する報知機能を備えた無線通信システムにおいて、
前記統制局は、前記携帯機から基地局を介して送られてくる位置登録情報を管理する第１の位置登録テーブルと、各基地局における待ち受け携帯機の有無を管理する第２の位置登録テーブルとを備え、前記全ての携帯機に制御電文を送出する場合に前記第２の位置登録テーブルを参照し、携帯機が待ち受けている基地局に対してのみに同報通知電文を送信することを特徴とする無線通信システム。
【発明の詳細な説明】
【技術分野】
【０００１】
本発明は、ＰＨＳ（Personal Handy-phone System）やＰＤＣ（Personal Digital Cellular）等の無線を使用する無線通信システムにおいて、特に全ての携帯機に制御電文を送出する報知機能を備えた無線通信システムに関する。
【背景技術】
【０００２】
従来、ＰＨＳやＰＤＣ等の無線を使用する無線通信システムにおいて、同報通知や一斉着信といった報知機能を使用する場合、全ての基地局に制御電文（携帯機にメッセージ表示や着信を行わせるための信号）を送信して携帯機がどの基地局の管理下で待ち受けていても、当該制御電文を受信できるようにしている。
【０００３】
しかし、基地局の数が多くなった場合、それに比例して統制局の主制御部から送信する電文数も増え、基地局からの応答も増加する。
【０００４】
統制局の主制御部は、各種イベントを逐次処理しているので、報知処理以外の呼処理や運用監視系の処理に遅延が生じることがある。また、主制御部のメモリリソースには制限があるため、処理の増大によってバッファがオーバフローすることがある。
【０００５】
また、統制局では、一般的にバッファに一定以上イベントが溜まると通話に規制を掛ける等、システムがダウンしないようにしているため、報知機能を使用して１度に大量の電文を送受信する場合、通話に規制が掛かることがあった。
【０００６】
また、本発明に関連する公知技術として、統制局から端末局への同報通知において、各端末局に自局の存在するエリアの回線品質状況を解析する機能部を設け、解析した結果を統制局へ送信し、統制局ではその解析データを元に管理下の端末局をグループ分けし、同報通知を行う際は送信したいデータをグループ毎に最適なデータ量及び送信タイミングを決定し、外来ノイズ及び妨害波により回線品質が劣化した場合においても、端末局へ通知する確率を向上するようにした技術が知られている（例えば、特許文献１参照。）。
【特許文献１】特開２００３−１８８８０９号公報
【発明の開示】
【発明が解決しようとする課題】
【０００７】
上記従来のシステムでは、基地局の数が多くなった場合、報知機能を使用したときにデータ処理量が増大し、バッファオーバフローの発生、報知処理以外の呼処理や運用監視系の処理遅延、更には通話に規制が掛かる等の問題があった。
【０００８】
本発明は上記の課題を解決するためになされたもので、基地局の数が多くなった場合でも、報知機能を使用したときのデータ処理量を軽減でき、バッファオーバフローの発生を防止すると共に、報知処理以外の呼処理や運用監視系の処理遅延や、通話規制の発生を確実に防止し得る無線通信システムを提供することを目的とする。
【課題を解決するための手段】
【０００９】
本発明は、統制局及び複数の基地局、携帯機から構成され、前記統制局から基地局を介して全ての携帯機に制御電文を送出する報知機能を備えた無線通信システムにおいて、前記統制局は、前記携帯機から基地局を介して送られてくる位置登録情報を管理する第１の位置登録テーブルと、各基地局における待ち受け携帯機の有無を管理する第２の位置登録テーブルとを備え、前記全ての携帯機に制御電文を送出する場合に前記第２の位置登録テーブルを参照し、携帯機が待ち受けている基地局に対してのみに同報通知電文を送信することを特徴とする。
【発明の効果】
【００１０】
本発明によれば、ＰＨＳ交換システムや携帯電話システム等、携帯機の位置情報を管理し、発着信、通話を行うシステムにおいて、同報通知や一斉着信（一斉通報）といった報知機能を行う場合に、システム全体の負荷を軽減することができ、他の呼処理、運用監視系処理の遅延や通話規制の発生等を防止することができる。
【発明を実施するための最良の形態】
【００１１】
以下、図面を参照して本発明の一実施形態を説明する。
【００１２】
図１は、本発明を構内ＰＨＳシステムに実施した場合の全体の概略構成を示すシステム構成図である。図１において、１１は構内ＰＨＳシステムの統制局に設けられるＰＨＳ交換機で、主制御部１２及びこの主制御部１２によって制御される複数の基地局インタフェース部１３ａ〜１３ｎにより構成されている。
【００１３】
上記基地局インタフェース部１３ａ〜１３ｎには、それぞれ複数の基地局が通信回線を介して接続される。例えば基地局インタフェース部１３ａには基地局１４Ａ１〜１４Ａｍ、基地局インタフェース部１３ｂには基地局１４Ｂ１〜１４Ｂｍ、基地局インタフェース部１３ｎには基地局１４Ｎ１〜１４Ｎｍがそれぞれ通信回線を介して接続される。
【００１４】
上記基地局１４Ａ１〜１４Ａｍ、…、１４Ｎ１〜１４Ｎｍは、それぞれ携帯機１５ａ〜１５ｎと無線による通信を行う。
【００１５】
図２は、上記ＰＨＳ交換機１１における主制御部１２及び基地局インタフェース部１３ａ部分の詳細な構成を示すブロック図である。
【００１６】
主制御部１２は、呼処理、運用監視系処理をはじめ各部を統括制御するＣＰＵ２１、上記ＣＰＵ２１で動作させるプログラムを格納するＲＯＭ２２、上記プログラムの変数領域として使用するＲＡＭ２３、音声の時分割交換を行う時分割スイッチ２４により構成される。
【００１７】
上記主制御部１２のＣＰＵ２１は制御信号バス２６を介して基地局インタフェース部１３ａに接続され、時分割スイッチ２４は音声信号バス２７を介して基地局インタフェース部１３ａに接続される。この基地局インタフェース部１３ａには、図１に示したように基地局１４Ａ１〜１４Ａｍが接続される。
【００１８】
また、上記主制御部１２には、上記基地局インタフェース部１３ａと同様にして他の基地局インタフェース部１３ｂ〜１３ｎが接続される。
【００１９】
上記基地局インタフェース部１３ａ〜１３ｎは、それぞれ複数台の基地局例えば８台の基地局を収容することができる。
【００２０】
主制御部１２のＲＡＭ２３には、図３に示す第１の位置登録テーブル３０及び図４に示す第２の位置登録テーブル４０が設けられる。
【００２１】
図３に示す第１の位置登録テーブル３０は、携帯機１５ａ〜１５ｎから位置登録情報が送られてきたときに、どの基地局を介して送られてきたかを管理するためのテーブルで、携帯機登録エリア３１及び基地局登録エリア３２を備えている。上記第１の位置登録テーブル３０は、従来使用されているものと同じであり、携帯機登録エリア３１には、位置登録を行った携帯機Ｎo.例えば内線番号または電話番号が登録され、基地局登録エリア３２には経由基地局のＮo.が対応している基地局インタフェースＮo.と共に書込まれる。
【００２２】
通常、携帯機１５ａ〜１５ｎは、最も電界状態が良好な基地局を介して主制御部１２に位置登録を行う。携帯機１５ａ〜１５ｎが移動して他の基地局からの電界状態が良好になれば、その良好な基地局を介して主制御部１２に位置登録を行う。
【００２３】
上記第１の位置登録テーブル３０は、携帯機１５ａ〜１５ｎから位置登録情報が送られてきたときに携帯機登録エリア３１及び基地局登録エリア３２の登録内容を更新し、現在携帯機がどの基地局の管理下にいるかを示している。
【００２４】
図４に示す第２の位置登録テーブル４０は、本発明において使用するテーブルで、基地局登録エリア４１、待ち受け携帯機エリア４２、携帯機Ｎo.リスト４３を備えている。基地局登録エリア４１には、各基地局のＮo.が対応している基地局インタフェースＮo.と共に登録され、待ち受け携帯機エリア４２には、各基地局を介して位置登録を行った携帯機があるか無いか、すなわち各基地局において待ち受け携帯機があるか無いかを示す“０”または“１”が書込まれる。上記“０”は待ち受け携帯機が無い場合、“１”は待ち受け携帯機がある場合を示している。待ち受け携帯機があればその携帯機Ｎo.（内線番号または電話番号）が携帯機Ｎo.リスト４３に書込まれる。
【００２５】
上記第２の位置登録テーブル４０は、基地局登録エリア４１に登録した基地局をキーとし、各基地局を介して位置登録を行った携帯機があるか無いかを待ち受け携帯機エリア４２で示すと共に、位置登録している携帯機がある場合は、携帯機Ｎo.リスト４３を作成する。
【００２６】
上記の構成において、ＰＨＳ交換機１１の主制御部１２は、携帯機１５ａ〜１５ｎから基地局を経由して位置登録情報が送られてきたときに第１の位置登録テーブル３０を従来通り更新するが、このとき第２の位置登録テーブル４０も同時に更新する。第２の位置登録テーブル４０を更新するときには、前に位置登録していた基地局の携帯機Ｎo.リスト４３から削除する。削除した結果、登録されている携帯機が１台もなくなったら待ち受けている携帯機がないことになるため、待ち受け携帯機エリア４２には“０”を書込む。
【００２７】
次に、主制御部１２が報知機能を行う場合の処理動作を図５に示すフローチャートを参照して説明する。尚、報知機能とは、全ての携帯機に対して制御電文を送出することよって同報通知や一斉着信を行わせる機能のことであり、以下の説明では同報通知を例に挙げて説明する。
【００２８】
主制御部１２は、同報通知送信処理を行う場合、ＲＡＭ２３から第２の位置登録テーブル４０から最初のデータを読出し（ステップＡ１）、その基地局に待ち受け携帯機があるかどうかを待ち受け携帯機エリア４２の内容から判定する（ステップＡ２）。待ち受け携帯機があれば、その基地局に同報通知電文を送出する（ステップＡ３）。上記ステップＡ２で、待ち受け携帯機がないと判定された場合は、その基地局に対しては同報通知電文を送信しない。尚、同報通知電文とは、同報通知を実行するための制御電文（信号）である。
【００２９】
次に第２の位置登録テーブル４０の読出しポインタを更新し（ステップＡ４）、第２の位置登録テーブル４０の読出しを終了したかどうかを判定し（ステップＡ５）、読出しを終了していなければステップＡ１に戻り、第２の位置登録テーブル４０から次のデータを読出し、その基地局に待ち受け携帯機があるかどうかを判定する（ステップＡ２）。
【００３０】
以下、同様の処理を繰り返し、全ての基地局１４Ａ１〜１４Ａｍ、…、１４Ｎ１〜１４Ｎｍに対して待ち受け携帯機があるかどうかを判定し（ステップＡ２）、待ち受け携帯機があれば、その基地局に同報通知電文を送出する（ステップＡ３）。尚、同報通知電文を受信した基地局は、当該電文を受信したことを示す応答電文を主制御部１２に送出する。
【００３１】
そして、上記ステップＡ５で、第２の位置登録テーブル４０の読出しを終了したと判定されると、同報通知送信処理を終了する。
【００３２】
上記のようにＰＨＳ交換機１１の主制御部１２は、図５のフローチャートに示した同報通知送信処理を行い、携帯機が待ち受けている基地局だけに同報通知電文を送信し、待ち受け携帯機のない基地局に対して同報通知電文を送信しないので、無駄な送信電文がなくなり、且つ基地局からも応答の電文がなくなる。この結果、主制御部１２の負荷を軽減でき、呼処理や運用監視系の遅延、通話規制等の発生を防止することができる。
【００３３】
上記実施形態では、同報通知を行う場合について示したが、一斉着信（一斉通報）を行う場合も主制御部１２が行う処理は同様である。
【００３４】
また、上記処理はＰＨＳ交換システムの他、携帯電話システム等、携帯機の位置情報を管理し、発着信、通話を行うシステムで、同報通知、一斉着信（一斉通報）といった制御信号を送出することで全ての携帯機に報知する機能を行う場合にも実施することが可能であり、システム全体の負荷を軽減し、他の呼処理、運用監視系処理の遅延や通話規制が掛かることを抑えることができる。
【００３５】
なお、本発明は、上記実施形態そのままに限定されるものではなく、実施段階ではその要旨を逸脱しない範囲で構成要素を変形して具体化できるものである。
【図面の簡単な説明】
【００３６】
【図１】本発明の一実施形態に係る構内ＰＨＳシステムの全体の概略構成を示すシステム構成図である。
【図２】同実施形態におけるＰＨＳ交換機の主制御部及び基地局インタフェース部部分の詳細な構成を示すブロック図である。
【図３】同実施形態において、主制御部のＲＡＭに設けられる第１の位置登録テーブルの構成例を示す図である。
【図４】同実施形態において、主制御部のＲＡＭに設けられる第２の位置登録テーブルの構成例を示す図である。
【図５】同実施形態における同報通知送信処理の動作を示すフローチャートである。
【符号の説明】
【００３７】
１１…ＰＨＳ交換機、１２…主制御部、１３ａ〜１３ｎ…基地局インタフェース部、１４Ａ１〜１４Ａｍ、…、１４Ｎ１〜１４Ｎｍ…基地局、１５ａ〜１５ｎ…携帯機、２１…ＣＰＵ、２２…ＲＯＭ、２３…ＲＡＭ、２４…時分割スイッチ、２６…制御信号バス、２７…音声信号バス、３０…第１の位置登録テーブル、３１…携帯機登録エリア、３２…基地局登録エリア、４０…第２の位置登録テーブル、４１…基地局登録エリア、４２…待ち受け携帯機エリア、４３…携帯機Ｎo.リスト。
【図１】
2009206959.tif 000003
【図２】
2009206959.tif 000004
【図３】
2009206959.tif 000005
【図４】
2009206959.tif 000006
【図５】
2009206959.tif 000007